(57)【特許請求の範囲】
【請求項１】
第一の発光ダイオードを備え、上記第一の発光ダイオードが出す光により部屋の床面を照射する第一の光源と、
第二の発光ダイオードを備え、上記第二の発光ダイオードが出す光により上記部屋の壁面を照射する第二の光源と、
一枚の板を折り曲げて形成された放熱板であって、放熱部と、上記放熱部から腕状に伸び「コ」字状に折り曲げられた先端に上記第一の光源が取り付けられた第一基板取付部と、上記放熱部から腕状に伸び「く」字状に鋭角に折り曲げられた先端に上記第二の光源が取り付けられた第二基板取付部とを備えた放熱板とを有することを特徴とする照明器具。
【請求項２】
上記第一の光源は、上記床面の略中央を照射し、
上記第二の光源は、上記壁面の略中央を照射する
ことを特徴とする請求項１に記載の照明器具。
【請求項３】
上記照明器具は、更に、
第三の発光ダイオードを備え、上記第三の発光ダイオードが出す光により上記床面と上記壁面との境界部分を照射する第三の光源
を有することを特徴とする請求項１に記載の照明器具。
【請求項４】
本体と、
第一の発光ダイオードを備え、上記第一の発光ダイオードが出す光により上記本体の略正面方向を照射する第一の光源と、
第二の発光ダイオードを備え、上記第二の発光ダイオードが出す光により上記第一の光源が照射する方向に対して鋭角の角度を有する方向を照射する第二の光源と、
一枚の板を折り曲げて形成された放熱板であって、放熱部と、上記放熱部から腕状に伸び「コ」字状に折り曲げられた先端に上記第一の光源が取り付けられた第一基板取付部と、上記放熱部から腕状に伸び「く」字状に鋭角に折り曲げられた先端に上記第二の光源が取り付けられた第二基板取付部とを備えた放熱板とを有することを特徴とする照明器具。
【請求項５】
上記照明器具は、
上記第二の光源を複数有し、
上記複数の第二の光源が照射する方向が互いに略直角をなすことを特徴とする請求項４に記載の照明器具。
【請求項６】
上記照明器具は、更に、
第三の発光ダイオードを備え、上記第三の発光ダイオードが出す光により上記第一の光源が照射する方向と上記第二の光源が照射する方向との略中間方向を照射する第三の光源
を有することを特徴とする請求項４に記載の照明器具。
【請求項７】
上記照明器具は、
上記第二の光源を複数有し、更に、
第三の発光ダイオードを備え、上記第三の発光ダイオードが出す光により上記複数の第二の光源のうちの一つが照射する方向と上記複数の第二の光源のうちの他の一つが照射する方向との略中間方向を照射する第三の光源
を有することを特徴とする請求項４に記載の照明器具。
【請求項８】
上記照明器具は、更に、
上記部屋のなかの人の存在を検出し、上記人の存在非存在を示す検出信号を出力する人感センサと、
上記検出信号を入力し、入力した上記検出信号が上記人の存在を示す場合に、上記第一の光源及び上記第二の光源の少なくともいずれかに対して電力を供給する制御装置と、
を有することを特徴とする請求項１乃至請求項７のいずれかに記載の照明器具。
【請求項９】
上記制御装置は、
入力した上記検出信号が上記人の非存在を示す場合に、所定の時間が経過するまで待ち、上記所定の時間の間に、入力した上記検出信号が上記人の存在を示さない場合に、上記第一の光源及び上記第二の光源の少なくともいずれかに対する電力の供給を停止する
ことを特徴とする請求項８に記載の照明器具。
【請求項１０】
上記照明器具は、更に、
上記部屋のなかの明るさを検出し、上記部屋のなかの明るさを示す照度信号を出力する照度センサを有し、
上記制御装置は、
上記検出信号と上記照度信号とを入力し、入力した上記検出信号が上記人の存在を示す場合に、入力した上記照度信号によって示される上記部屋のなかの明るさが所定の明るさより暗いか否かを判断し、上記部屋のなかの明るさが所定の明るさより暗いと判断した場合に、上記第一の光源及び上記第二の光源の少なくともいずれかに対して電力を供給する
ことを特徴とする請求項８または請求項９に記載の照明器具。
【請求項１１】
上記照明器具は、更に、
吸気口と、
排気口と、
上記吸気口から室内の空気を吸気し、吸気した空気を上記排気口から排気する気流を発生させる送風部を有し、
上記放熱板の放熱部は、上記送風部が発生させた気流の通り道に位置することを特徴とする請求項１乃至請求項１０のいずれかに記載の照明器具。
【請求項１２】
上記照明器具は、更に、
吸気口と、
排気口と、
上記吸気口から室内の空気を吸気し、吸気した空気を上記排気口から排気する気流を発生させる送風部と、
上記第一の光源及び上記第二の光源の少なくともいずれかと上記送風部とに対して電力を供給し、上記第一の光源及び上記第二の光源の少なくともいずれかに対する電力の供給を停止したのち、所定の時間が経過した場合に、上記送風部に対する電力の供給を停止する制御装置を有し、
上記放熱板の放熱部は、上記送風部が発生させた気流の通り道に位置することを特徴とする請求項１乃至請求項７のいずれかに記載の照明器具。
【発明の詳細な説明】
【技術分野】
【０００１】
この発明は、発光ダイオード光源を用いた照明器具に関する。
【背景技術】
【０００２】
現在、発光ダイオードを高出力化するための研究開発が進められている。
【特許文献１】特開２００５−１４９７９０号公報
【発明の開示】
【発明が解決しようとする課題】
【０００３】
発光ダイオードを高出力化すると、消費電力が増大するので発熱が大きくなり、温度上昇による劣化が起こる。そのため、発光ダイオードをあまり高出力にすることができず、室内の照明として使用するには、光量が不足してしまうという課題がある。
この発明は、例えば、上記のような課題を解決するためになされたものであり、光量の少ない発光ダイオードを使用して、十分な明るさを有する照明器具を得ることを目的とする。
【課題を解決するための手段】
【０００４】
この発明にかかる照明器具は、
第一の発光ダイオードを備え、上記第一の発光ダイオードが出す光により部屋の床面を照射する第一の光源と、
第二の発光ダイオードを備え、上記第二の発光ダイオードが出す光により上記部屋の壁面を照射する第二の光源と、
を有することを特徴とする。
【発明の効果】
【０００５】
この発明にかかる照明器具によれば、例えば、第一の光源が部屋の床面を照射し、第二の光源が部屋の壁面を照射するので、部屋全体をバランスよく照らすことができ、部屋のなかにいる人に、部屋全体が明るいと感じさせることができるという効果を奏する。
【発明を実施するための最良の形態】
【０００６】
実施の形態１．
実施の形態１について、図１〜図４を用いて説明する。
図１は、この実施の形態における照明器具１００の外観を示す斜視図である。
なお、この図は、斜め下方向から見上げたところを示している。
【０００７】
照明器具１００の本体１１０は、略直方体状である。
第一の光源１２０は、本体１１０の底面中央に位置する。第一の光源１２０は、第一の発光ダイオード１２１と反射板１２２とを有する。
第一の発光ダイオード１２１は、通電することにより発光する白色ダイオード素子である。なお、第一の発光ダイオード１２１は、他の色の発光ダイオード素子でもよいし、複数の発光ダイオードの集合体であってもよい。第一の発光ダイオード１２１は、本体１１０の正面方向を照射する。
反射板１２２は、第一の発光ダイオード１２１が出した光を反射して、本体１１０の正面方向に集める。反射板１２２は、本体１１０の底面を、回転楕円体状あるいは回転放物面状あるいは回転双曲面状に削った形状を有し、内部を鏡面状に形成してある。
これにより、第一の光源１２０は、第一の発光ダイオード１２１が出す光により、本体１１０の正面方向を照射する。
例えば、照明器具１００を部屋の天井あるいは天井付近に設置した場合には、第一の光源１２０は、部屋の床面を照射する。
【０００８】
照明器具１００は、４つの第二の光源１３０を有する。
第二の光源１３０は、本体１１０の底面を囲む四辺にそれぞれ位置する。第二の光源１３０は、第二の発光ダイオード１３１と反射板１３２とを有する。
第二の発光ダイオード１３１は、通電することにより発光する白色ダイオード素子である。なお、第二の発光ダイオード１３１は、第一の発光ダイオード１２１と同様、他の色の発光ダイオード素子でもよいし、複数の発光ダイオードの集合体であってもよい。
第二の発光ダイオード１３１は、本体１１０の正面方向（すなわち、第一の光源１２０が照射する方向）に対して、略４５度方向を照射する。なお、第二の発光ダイオード１３１が照射する方向は、第一の光源１２０が照射する方向に対して鋭角の角度を有する方向であれば、４５度方向でなくともよい。
反射板１３２は、第二の発光ダイオード１３１が出した光を反射して、本体１１０の正面方向に対して略４５度方向に集める。反射板１３２は、本体１１０の底面を囲む四辺を、回転楕円体状あるいは回転放物面状あるいは回転双曲面状に削った形状を有し、内部を鏡面状に形成してある。
これにより、第二の光源１３０は、第二の発光ダイオード１３１が出す光により、第一の光源１２０が照射する方向に対して鋭角の角度を有する方向を照射する。
例えば、照明器具１００を部屋の天井あるいは天井付近に設置した場合には、第二の光源１３０は、部屋の壁面を照射する。
また、第二の光源１３０は、４つでなくてもよい。例えば、部屋の四方のうち一方向が窓である場合、その方向を照射する第二の光源１３０はなくてもよい。その他、部屋の形状に合わせて、第二の光源１３０の数および照射方向を変えてもよい。
【０００９】
照明器具１００は、このほか、第一の発光ダイオード１２１および第二の発光ダイオード１３１に電力を供給するための電源回路や、第一の発光ダイオード１２１および第二の発光ダイオード１３１の点灯消灯を制御する制御回路などを有するが、ここでは説明を省略する。
【００１０】
次に、この実施の形態における照明器具１００の使用例について説明する。
図２は、この実施の形態における照明器具１００の使用状況を示す斜視図である。
この図は、第一の光源１２０が照射する光によって照らされる部分を示している。
なお、この図は、図１と同様、斜め下方向から見上げたところを示している。また、説明の都合により、部屋８００の壁面は省略してあり、床面８２０を半透明に描いている。
【００１１】
照明器具１００は、部屋８００の天井８１０または天井８１０付近に固定して使用する。照明器具１００は、床面８２０の中央を真上から照射するため、天井８１０の略中央に固定する。
【００１２】
光源の輝度が等しい場合、照射対象の照度は、光源からの距離の二乗に反比例する。また、照射対象の表面に対して垂直方向から照射した場合に、照射対象の照度がもっとも高くなり、斜め方向から照射すると、照射対象の照度が低くなる。
したがって、照明器具１００を天井８１０に設置する場合、光源が床面８２０を真上から照射すれば、床面８２０からの距離がもっとも近く、かつ、床面８２０に対して垂直方向から照射することとなるので、床面８２０の照度がもっとも高くなる。
【００１３】
第一の光源１２０は、照明器具１００の底面に位置し、照明器具１００の正面方向を照射するので、床面８２０を真上から照射する。したがって、第一の発光ダイオード１２１の輝度が比較的低くても、床面８２０の照度を所定の明るさにすることができる。
【００１４】
第一の光源１２０は、照明器具１００の正面方向を照射するが、完全に正面方向だけを照射するのではなく、斜め方向も同時に照射する。ただし、正面方向からの角度が大きくなるほど、照射する光は弱くなる。照射する範囲の大きさは、第一の発光ダイオード１２１の特性や、反射板１２２の形状を変えることにより、所望の範囲にすることができる。
【００１５】
照明器具１００は、部屋８００の天井８１０の略中央に固定して使用するので、第一の光源１２０は、床面８２０の中央をもっとも明るく照らす。また、斜め方向に出た光も床面８２０を照らすこととなり、第一の光源１２０から出た光をもっとも有効に活用できる。
【００１６】
図３は、この実施の形態における照明器具１００の使用状況を示す斜視図である。
この図は、第二の光源１３０が照射する光によって照らされる部分を示している。
なお、この図は、図２と同様、斜め下方向から見上げたところを示している。また、説明の都合により、部屋８００の床面８２０は省略してあり、壁面８３０を半透明に描いており、天井８１０に固定した照明器具１００が壁面８３０ごしに見えている。
【００１７】
第二の光源１３０は、照明器具１００の底面を囲む四辺に位置する。照明器具１００は、底面を囲む四辺が壁面８３０と平行となるように固定する。
第二の光源１３０は、壁面８３０の略中央を照射する。なお、部屋８００の形状に合わせて、第二の光源１３０が壁面８３０の略中央を照射するよう、第二の光源１３０が照射する方向を調整できるような構成としてもよい。
そうすれば、部屋の形状にかかわらず同一の照明器具１００を使用することができ、好ましい。
【００１８】
照明器具１００は、天井８１０または天井８１０付近に固定して使用するので、壁面８３０に対して垂直方向から照射するためには、照明器具１００と同じ高さの壁面８３０を照射する必要があり、壁面８３０の下のほうに暗い部分ができてしまう。そこで、この実施の形態における照明器具１００は、第二の光源１３０が壁面８３０の略中央を照射することにより、第二の光源１３０により照射されない壁面８３０の部分を最小限に抑えている。
【００１９】
照明器具１００は、天井８１０の略中央に固定してあるので、第二の光源１３０が壁面８３０の略中央を照射する場合、壁面８３０に対して垂直方向からのずれを最小限に抑えることができ、壁面８３０の照度が高くなる。
【００２０】
照明器具１００は、天井８１０の略中央に固定してあるので、それぞれの第二の光源１３０から、その第二の光源１３０が照射する壁面８３０までの距離は略等しい。
上述したように、照射対象の照度は光源からの距離の二乗に反比例するので、照明器具１００をどちらかの壁面８３０の近くに設置した場合には、近くなった側の壁面８３０は明るくなるが、遠くなった側の壁面８３０は逆に暗くなる。部屋８００のなかの明るさを総合して考えた場合、どちらか一方の壁面８３０に偏ることなく、照明器具１００を中央に配置するほうが、全体として明るくなり、好ましい。
しかし、例えば、部屋８００の一方に壁面８３０がないなど、その方向を照射する第二の光源１３０がない場合には、必ずしも照明器具１００を部屋８００の略中央に設置しなくてもよい。
【００２１】
図４は、この実施の形態における照明器具１００の使用状況を示す斜視図である。
この図は、第一の光源１２０が照射する光と第二の光源１３０が照射する光とを総合して、照明器具１００が全体として部屋８００の内部を照らす様子を示している。
なお、この図は、図２・図３と同様、斜め下方向から見上げたところを示している。また、説明の都合により、床面８２０および壁面８３０を半透明に描いており、天井８１０に固定した照明器具１００が壁面８３０ごしに見えている。
図２を用いて説明したように、第一の光源１２０は床面８２０を照射する。また、図３を用いて説明したように、４つの第二の光源１３０は部屋８００の四方にある４つの壁面８３０をそれぞれ照射する。これにより、照明器具１００は、部屋８００の床面８２０および壁面８３０をすべて照射する。
【００２２】
人が部屋８００のなかの明るさを知覚するのは、床面８２０や壁面８３０などに当たって拡散した拡散光による。したがって、床面８２０および壁面８３０を照射することにより、部屋８００のなかにいる人はその部屋８００を明るいと感じる。
したがって、この実施の形態における照明器具１００によれば、第一の発光ダイオード１２１および第二の発光ダイオード１３１の輝度が比較的低くても、人が感じる部屋８００の明るさを所望の明るさとすることができるので、照明器具１００が消費する電力を抑えることができる。
また、高出力の発光ダイオードは発熱が大きいので、高出力の発光ダイオードを用いた照明器具は、放熱のための構成を有する必要があり、照明器具が大型化し、製造コストが高くなる。この実施の形態における照明器具１００によれば、低出力の発光ダイオードを用いることができるので、照明器具１００を小型・軽量にすることができ、製造コストも抑えることができる。
【００２３】
なお、第一の光源１２０と第二の光源１３０とは、同期して点灯消灯するよう構成してもよいし、それぞれ独立して点灯消灯するよう構成してもよい。
例えば、机上での作業をする場合には、第一の光源１２０のみを点灯して手元を明るく照らし、第二の光源１３０を消灯することにより、消費電力を抑えることができる。また、食卓テーブルなどを照らせば、雰囲気を演出することもできる。
逆に、机上での作業がない場合には、第二の光源１３０のみを点灯して部屋全体の明るさ感を確保し、第一の光源１２０を消灯することにより、消費電力を抑えることができる。
【００２４】
この実施の形態における照明器具１００は、第一の発光ダイオード１２１を備え、第一の発光ダイオード１２１が出す光により部屋８００の床面８２０を照射する第一の光源１２０と、第二の発光ダイオード１３１を備え、第二の発光ダイオード１３１が出す光により部屋８００の壁面８３０を照射する第二の光源１３０とを有することを特徴とする。
【００２５】
この実施の形態における照明器具１００によれば、床面８２０を照射する第一の光源１２０と、壁面８３０を照射する第二の光源１３０とを有しているので、部屋８００全体をバランスよく照らすことができ、低出力の発光ダイオードを用いても、部屋８００のなかにいる人が、部屋８００全体を明るいと感じるようにすることができるという効果を奏する。
【００２６】
この実施の形態における照明器具１００は、第一の光源１２０は床面８２０の略中央を照射し、第二の光源１３０は壁面８３０の略中央を照射することを特徴とする。
【００２７】
この実施の形態における照明器具１００によれば、第一の光源１２０が床面８２０の略中央を照射するので、第一の光源１２０が出す光を効率よく利用して、部屋８００のなかにいる人に、部屋８００全体を明るいと感じさせることができるという効果を奏する。
【００２８】
この実施の形態における照明器具１００によれば、第二の光源１３０が壁面８３０の略中央を照射するので、第二の光源１３０が出す光を効率よく利用して、部屋８００のなかにいる人に、部屋８００全体を明るいと感じさせることができるという効果を奏する。
【００２９】
この実施の形態における照明器具１００は、第一の光源１２０が床面８２０を真上から照射することを特徴とする。
【００３０】
この実施の形態における照明器具１００によれば、第一の光源１２０が床面８２０を真上から照射するので、床面８２０の照度が高くなり、部屋８００のなかにいる人に、部屋８００全体を明るいと感じさせることができるという効果を奏する。
【００３１】
この実施の形態における照明器具１００は、部屋８００の天井付近の略中央に固定して使用することを特徴とする。
【００３２】
この実施の形態における照明器具１００によれば、照明器具１００を部屋８００の略中央に固定して使用するので、左右（あるいは前後）の壁面８３０からの距離が略等しく、左右（あるいは前後）の壁面８３０の照度の合計が高くなって、部屋８００のなかにいる人に、部屋８００全体を明るいと感じさせることができるという効果を奏する。
【００３３】
この実施の形態における照明器具１００は、第一の発光ダイオード１２１を備え、第一の発光ダイオード１２１が出す光により、照明器具１００の本体１１０の略正面方向を照射する第一の光源１２０と、第二の発光ダイオード１３１を備え、第二の発光ダイオード１３１が出す光により、第二の発光ダイオード１３１が出す光により、第一の光源１２０が照射する方向に対して鋭角の角度を有する方向を照射する第二の光源１３０とを有することを特徴とする。
【００３４】
この実施の形態における照明器具１００によれば、第一の光源１２０が本体１１０の略正面方向を照射するので、照明器具１００を天井８１０あるいは天井８１０付近に固定した場合に、床面８２０を真上から照射することになり、床面８２０の照度が高くなるという効果を奏する。
【００３５】
この実施の形態における照明器具１００によれば、第二の光源１３０が、第一の光源１２０の照射する方向と鋭角の角度を有する方向を照射するので、照明器具１００を天井８１０あるいは天井８１０付近に固定した場合に、壁面８３０を照射することになり、部屋８００全体を照らすことができるという効果を奏する。
【００３６】
この実施の形態における照明器具１００は、第二の光源１３０を複数有し、複数の第二の光源１３０が照射する方向が互いに略直角をなすことを特徴とする。
【００３７】
この実施の形態における照明器具１００によれば、複数の第二の光源１３０が照射する方向が互いに略直角をなすので、床面８２０が長方形である部屋８００に照明器具１００を固定した場合に、第二の光源１３０がそれぞれ壁面８３０を照射することになり、部屋８００全体を照らすことができるという効果を奏する。
【００３８】
実施の形態２．
実施の形態２について、図５〜図７を用いて説明する。
図５は、この実施の形態における照明器具１００の外観を示す斜視図である。
なお、この図は、斜め下方向から見上げたところを示している。
【００３９】
この実施の形態における照明器具１００は、実施の形態１で説明した照明器具１００と比較して、第三の光源１４０を有する点が異なる。
それ以外の点は、実施の形態１で説明したものと同様であるので、ここでは説明を省略する。
【００４０】
照明器具１００は、４つの第三の光源１４０を有する。
第三の光源１４０は、本体１１０の底面の四つの頂点にそれぞれ位置する。第三の光源１４０は、第三の発光ダイオード１４１と反射板１４２とを有する。
第三の発光ダイオード１４１は、通電することにより発光する白色ダイオード素子である。なお、第三の発光ダイオード１４１は、第一の発光ダイオード１２１・第二の発光ダイオード１３１と同様、他の色の発光ダイオード素子でもよいし、複数の発光ダイオードの集合体であってもよい。
第三の発光ダイオード１４１は、両隣にある第二の光源１３０が照射する方向の略中間方向を照射する。なお、第三の発光ダイオード１４１が照射する方向は、さらに第一の光源１２０も含めた３つの光源が照射する方向の略中間方向を照射することとしてもよいし、第一の光源１２０が照射する方向と第二の光源１３０のうちの一つが照射する方向との略中間方向を照射することとしてもよい。
反射板１４２は、第三の発光ダイオード１４１が出した光を反射して、両隣の第二の光源１３０が照射する方向の略中間方向に集める。反射板１４２は、本体１１０の底面の頂点を、回転楕円体状あるいは回転放物面状あるいは回転双曲面状に削った形状を有し、内部を鏡面状に形成してある。
これにより、第三の光源１４０は、第三の発光ダイオード１４１が出す光により、両隣の第二の光源１３０が照射する方向の略中間方向を照射する。
例えば、照明器具１００を部屋の天井あるいは天井付近に設置した場合には、第三の光源１４０は、部屋の壁面と壁面との境界付近（部屋の隅）を照射する。
また、第三の光源１４０は、４つでなくてもよい。例えば、部屋の四隅のうち一方向が窓である場合、その方向を照射する第三の光源１４０はなくてもよい。その他、部屋の形状に合わせて、第三の光源１４０の数および照射方向を変えてもよい。
【００４１】
次に、この実施の形態における照明器具１００の使用例について説明する。
図６は、この実施の形態における照明器具１００の使用状況を示す斜視図である。
この図は、第三の光源１４０が照射する光によって照らされる部分を示している。
なお、この図は、図１と同様、斜め下方向から見上げたところを示している。また、説明の都合により、部屋８００の床面８２０および壁面８３０を半透明に描いており、天井８１０に固定した照明器具１００が壁面８３０ごしに見えている。
【００４２】
照明器具１００は、部屋８００の天井８１０または天井８１０付近の略中央に固定して使用する。
第三の光源１４０は、両隣の第二の光源１３０が照射する方向の略中間方向を照射する。第二の光源１３０はそれぞれ部屋８００の壁面８３０を照射するので、第三の光源１４０は２つの壁面８３０の境界部分を照射する。また、第二の光源１３０はそれぞれ壁面８３０の略中央を照射するので、第三の光源１４０は壁面８３０と床面８２０との境界付近（部屋８００の隅）を照射する。
【００４３】
図７は、この実施の形態における照明器具１００の使用状況を示す斜視図である。
この図は、第一の光源１２０が照射する光と第二の光源１３０が照射する光と第三の光源１４０が照射する光とを総合して、照明器具１００が全体として部屋８００の内部を照らす様子を示している。
なお、この図は、図６と同様、斜め下方向から見上げたところを示している。また、説明の都合により、床面８２０および壁面８３０を半透明に描いており、天井８１０に固定した照明器具１００が壁面８３０ごしに見えている。
【００４４】
実施の形態１で説明した照明器具１００は、第三の光源１４０を有していないので、部屋８００の隅の部分が照射されない（図４参照）。これに対して、この実施の形態における照明器具１００は、第三の光源１４０が部屋８００の隅の部分を照射するので、暗い部分が存在せず、部屋８００のなかにいる人は、その部屋８００をいっそう明るいと感じる。
【００４５】
なお、照明器具１００を部屋８００の天井８１０から吊り下げた位置に固定し、壁面８３０上部の天井８１０側の四隅を照射する第四の光源を設けてもよい。
【００４６】
この実施の形態における照明器具１００は、第三の発光ダイオード１４１を備え、第三の発光ダイオード１４１が出す光により床面８２０と壁面８３０との境界部分を照射する第三の光源１４０を有することを特徴とする。
【００４７】
この実施の形態における照明器具１００によれば、第三の光源１４０が床面８２０と壁面８３０との境界部分を照射するので、部屋８００のなかに照度の低いところが少なくなり、部屋８００のなかにいる人に、部屋８００全体を明るいと感じさせることができるという効果を奏する。
【００４８】
この実施の形態における照明器具１００は、更に、第三の発光ダイオード１４１を備え、第三の発光ダイオード１４１が出す光により第一の光源１２０が照射する方向と第二の光源１３０が照射する方向との略中間方向を照射する第三の光源１４０を有することを特徴とする。
【００４９】
この実施の形態における照明器具１００によれば、第一の光源１２０が照射する光と、第二の光源１３０が照射する光とのちょうど谷間となる方向を、第三の光源１４０が照射するので、部屋８００のなかの暗い部分が少なくなり、部屋８００のなかにいる人に、部屋８００全体をいっそう明るいと感じさせることができるという効果を奏する。
【００５０】
この実施の形態における照明器具１００は、第二の光源１３０を複数有し、更に、第三の発光ダイオード１４１を備え、第三の発光ダイオード１４１が出す光により複数の第二の光源１３０のうちの一つが照射する方向と、複数の第二の光源１３０のうちの他の一つが照射する方向との略中間方向を照射する第三の光源１４０を有することを特徴とする。
【００５１】
この実施の形態における照明器具１００によれば、複数の第二の光源１３０が照射する光のちょうど谷間となる方向を、第三の光源１４０が照射するので、部屋８００のなかの暗い部分が少なくなり、部屋８００のなかにいる人に、部屋８００全体をいっそう明るいと感じさせることができるという効果を奏する。
【００５２】
実施の形態３．
実施の形態３について、図８〜図１１を用いて説明する。
図８は、この実施の形態における照明器具１００の外観を示す図である。
図８（ａ）は正面図、図８（ｂ）は底面図である。
【００５３】
この実施の形態における照明器具１００は、本体１１０を部屋の天井に埋め込んで使用するものであり、部屋の内部からは、化粧カバー１６０だけが見える状態となる。排気口１１２は、屋外または排気ダクトなどに接続し、換気扇としての機能を兼ね備える。
【００５４】
化粧カバー１６０は四角錐台状であり、透光性カバー１６１，１６２、吸気口１６３などを有する。
透光性カバー１６１は、例えば、プラスチックなどにより形成された透明なカバーであり、内部に第一の光源１２０がある。第一の光源１２０が照射した光は、透光性カバー１６１を通り、部屋の内部を照射する。この例では、透光性カバー１６１は、化粧カバー１６０の底面の頂点付近、中心に対して点対称な位置に２つある。
透光性カバー１６２は、透光性カバー１６１と同様、プラスチックなどにより形成された透明なカバーであり、内部に第二の光源１３０がある。第二の光源１３０が照射した光は、透光性カバー１６２を通り、部屋の内部を照射する。この例では、透光性カバー１６２は、化粧カバー１６０の四方側面の中央に４つある。
吸気口１６３は、部屋の内部の空気を吸い込むための開口部である。この例では、吸気口１６３は細長い長方形状であり、４つ並んで形成されている。
吸気口１６３から吸い込まれた空気は、本体１１０のケージング１１１を通り、排気口１１２から排出される。
【００５５】
図９及び図１０は、この実施の形態における照明器具１００の内部構造を示す図である。
図９（ａ）は図８（ｂ）のＡ−Ａ断面図、図９（ｂ）は図８（ｂ）のＢ−Ｂ断面図、図１０は、化粧カバー１６０を外した状態における底面図である。
【００５６】
化粧カバー１６０の内部には、放熱板１７０がある。放熱板１７０は、例えば、鉄などの熱伝導率が高い材料により形成されている。
放熱板１７０は、薄い板を折り曲げた形状を有する。中央には、比較的広い長方形状の部分（放熱部１７１）がある。放熱部１７１には、楕円状の開口部（放熱口１７２）が８つ形成されている。
放熱口１７２を、照明器具１００が吸気口１６３から吸い込んだ空気が通ることにより、放熱板１７０から熱を奪い、放熱板１７０が効率よく放熱する。
放熱板１７０は、長方形状の放熱部１７１の各辺中央付近から腕状に伸びた第二基板取付部１７４を有する。この例では、第二基板取付部１７４が４つある。第二基板取付部１７４は、先端が「く」字状に鋭角に折り曲げられており、その外側に、取付け基板１３３が取り付けられている。取付け基板１３３には、第二の発光ダイオード１３１（第二の光源１３０）が取り付けられている。
また、放熱板１７０は、放熱部１７１の対角線上の２頂点の付近の長辺側に、腕状に伸びた第一基板取付部１７３を有する。この例では、第一基板取付部１７３が２つある。第一基板取付部１７３は、先端が「コ」字状に折り曲げられており、その先端外側に、取付け基板１２３が取り付けられている。取付け基板１２３には、第一の発光ダイオード１２１（第一の光源１２０）が取り付けられている。
【００５７】
化粧カバー１６０は、透光性カバー１６１の内側に反射板１２２を有し、透光性カバー１６２の内側に反射板１３２を有する。反射板１２２及び反射板１３２には、穴が開けられており、化粧カバー１６０を取り付けたとき、それぞれ第一の発光ダイオード１２１及び第二の発光ダイオード１３１がその穴に嵌合して、第一の光源１２０及び第二の光源１３０となる。
【００５８】
第一の光源１２０は、正面方向を照射する。上述したように、照明器具１００は天井に埋め込んで使用するので、第一の光源１２０は真下方向を照射し、床面に対して垂直な方向から床面を照射する。
第二の光源１３０は、第一の光源１２０が照射する方向に対して鋭角の角度を有する方向を照射する。第二の光源１３０は、照明器具１００を天井に埋め込んだ際に、壁面の略中央を照射する角度に調整されている。
【００５９】
照明器具１００は、天井の略中央に埋め込んで使用することが好ましい。なお、照明器具１００を使用した状況において、第一の光源１２０及び第二の光源１３０が照射する範囲については、実施の形態１において図２〜図４を用いて説明した照射範囲と同様であるので、ここでは説明を省略する。
【００６０】
照明器具１００は、送風部１８０（ファン１８１及びモータ１８２）を有する。ファン１８１はモータ１８２に取り付けられており、モータ１８２に直流の電圧を供給して駆動することにより、ファン１８１が回転する。ファン１８１が回転すると、Ｃ方向に向かう気流が発生する。これにより、照明器具１００は、吸気口１６３から室内の空気を吸い込み、排気口１１２から排出する。吸気口１６３から吸い込まれた空気は、放熱板１７０から熱を奪うので、第一の発光ダイオード１２１及び第二の発光ダイオード１３１から発生した熱が、効率よく放熱される。
【００６１】
照明器具１００は、制御装置１５０を有する。制御装置１５０は、第一の光源１２０・第二の光源１３０・モータ１８２などに電力を供給し、第一の光源１２０・第二の光源１３０の点灯消灯や、モータ１８２の回転を制御する。なお、制御装置１５０などに電力を供給する配線や信号線は、省略している。
【００６２】
図１１は、この実施の形態における照明器具１００の回路構成を示す構成図である。
制御装置１５０は、制御回路１５１、交流直流変換回路１５２、直流直流変換回路１５３〜１５５を有する。
【００６３】
交流直流変換回路１５２（ＡＣ−ＤＣコンバータ）は、商用電源（例えば、１００Ｖまたは２００Ｖ、５０Ｈｚまたは６０Ｈｚ）などの交流電源２００から交流電圧を入力し、直流電圧（例えば、１４１Ｖまたは２８３Ｖ）に変換して出力する。交流直流変換回路１５２は、例えば、ダイオードブリッジによる全波整流回路とコンデンサなどにより構成する。
【００６４】
制御回路１５１は、交流直流変換回路１５２が出力した直流電圧を入力して、駆動電力とし、直流直流変換回路１５３〜１５５を制御する制御信号を生成する。制御回路１５１が生成する制御信号のうち、直流直流変換回路１５３に対するものを第一光源制御信号、直流直流変換回路１５４に対するものを第二光源制御信号、直流直流変換回路１５５に対するものをモータ制御信号と呼ぶ。
【００６５】
直流直流変換回路１５３〜１５５（ＤＣ−ＤＣコンバータ）は、交流直流変換回路１５２が出力した直流電圧（例えば、１４１Ｖまたは２８３Ｖ）を入力し、入力した直流電圧を降圧して、直流電圧（例えば、１０Ｖ）を生成し、生成した直流電圧を出力する。直流直流変換回路１５３〜１５５は、例えば、スイッチング素子とＬＣローパスフィルタとにより構成したチョッパ型降圧回路である。この場合、スイッチング素子は、制御回路１５１から入力した制御信号によってオンオフを繰り返す。スイッチング素子をオンしている期間のデューティ比により、出力する直流電圧の電圧値が定まる。また、スイッチング素子をオフし続ければ、出力電圧が０Ｖになる。
直流直流変換回路１５３が出力した直流電圧は、第一の発光ダイオード１２１に供給され、第一の発光ダイオード１２１を点灯する。
直流直流変換回路１５４が出力した直流電圧は、第二の発光ダイオード１３１に供給され、第二の発光ダイオード１３１を点灯する。
直流直流変換回路１５５が出力した直流電圧は、モータ１８２に供給され、モータ１８２を回転駆動する。
なお、モータ１８２を交流駆動型のモータとし、直流直流変換回路１５５の代わりに、インバータ回路を設けてもよい。
【００６６】
制御回路１５１は、例えば、所定のデューティ比を有する矩形波を生成する発振回路である。
交流電源２００と照明器具１００との間に設けられた図示していないスイッチをオンして、交流電源２００から照明器具１００に電力が供給されると、交流直流変換回路１５２が直流電圧を生成して、制御回路１５１に供給する。制御回路１５１は、第一光源制御信号・第二光源制御信号・モータ制御信号として、それぞれ所望の直流電圧を生成するよう設計されたデューティ比を有する矩形波を生成する。直流直流変換回路１５３〜１５５は、制御回路１５１から入力した制御信号により、直流電圧を生成し、第一の発光ダイオード１２１・第二の発光ダイオード１３１・モータ１８２に供給する。これにより、第一の発光ダイオード１２１及び第二の発光ダイオード１３１が点灯し、モータ１８２が回転する。
【００６７】
また、制御回路１５１は、マイクロコンピュータと、マイクロコンピュータが実行するプログラムを記憶したＲＯＭなどの記憶装置とを含む構成としてもよい。
例えば、制御回路１５１は、マイクロコンピュータが、交流直流変換回路１５２から入力した直流電圧の電圧値を判断して、直流直流変換回路１５３〜１５５が出力する直流電圧が所望の電圧となるよう、直流直流変換回路１５３〜１５５に対して出力する第一光源制御信号・第二光源制御信号・モータ制御信号のデューティ比を変化させる構成としてもよい。
そうすれば、交流電源２００の電圧が異なる環境でも、同一の照明器具１００を用いることができ、好ましい。
【００６８】
この実施の形態における照明器具１００は、吸気口１６３から室内の空気を吸気し、吸気した空気を排気口１１２から排気する気流を発生させる送風部１８０と、送風部１８０が発生させた気流の通り道に位置し、第一の発光ダイオード１２１（第一の光源１２０）及び第二の発光ダイオード１３１（第二の光源１３０）の少なくともいずれかを取り付けた放熱板１７０とを有することを特徴とする。
【００６９】
この実施の形態における照明器具１００によれば、送風部１８０が発生させた気流により、放熱板１７０が効率よく放熱し、第一の発光ダイオード１２１及び第二の発光ダイオード１３１の発熱による温度上昇を抑えることができるという効果を奏する。
【００７０】
この実施の形態における照明器具１００は、吸気口１６３と、排気口１１２と、吸気口１６３から室内の空気を吸気し、吸気した空気を排気口１１２から排気する気流を発生させる送風部１８０とを有することを特徴とする。
【００７１】
この実施の形態における照明器具１００によれば、放熱板１７０を放熱させる気流を発生する送風部１８０が照明器具１００を設置した部屋の換気扇を兼ねているので、照明器具１００と独立して換気扇を設置する場合と比較して、設置コストが安くなり、設置スペースが小さくて済み、消費電力が抑えられるという効果を奏する。
【００７２】
この実施の形態における照明器具１００は、放熱板１７０が、放熱口１７２を有する放熱部１７１を備えることを特徴とする。
【００７３】
この実施の形態における照明器具１００によれば、放熱板１７０を放熱させる気流が放熱口１７２を通るので、放熱板１７０が効率よく放熱するという効果を奏する。
【００７４】
この実施の形態における照明器具１００は、交流電源２００から交流電圧を入力して、直流電圧に変換し、変換した直流電圧を出力する交流直流変換回路１５２と、交流直流変換回路１５２が出力した直流電圧を入力し、入力した直流電圧を、入力した直流電圧と異なる電圧の直流電圧に変換し、変換した直流電圧を出力する直流直流変換回路１５３〜１５５とを有し、直流直流変換回路１５３〜１５５が出力した直流電圧を第一の発光ダイオード１２１及び第二の発光ダイオード１３１及びモータ１８２の少なくともいずれかに供給することを特徴とする。
【００７５】
この実施の形態における照明器具１００によれば、異なる実効電圧値を有する交流電圧を入力した場合であっても、直流直流変換回路１５３〜１５５が出力する直流電圧の電圧値を一定とすることができるので、交流電源２００の電圧値が異なる環境でも、同一の照明器具１００を用いることができるという効果を奏する。
【００７６】
この実施の形態における照明器具１００は、更に、交流直流変換回路１５２が出力した直流電圧を入力し、入力した直流電圧の電圧値を判断し、判断した電圧値に基づいて、直流直流変換回路１５３〜１５５を制御する制御信号を出力する制御回路１５１を有することを特徴とする。
【００７７】
この実施の形態における照明器具１００によれば、交流直流変換回路１５２が出力した直流電圧の電圧値を制御回路１５１が判断して、直流直流変換回路１５３〜１５５を制御する制御信号を変化させるので、照明器具１００が入力した交流電源２００の交流電圧が異なる場合であっても、第一の発光ダイオード１２１及び第二の発光ダイオード１３１及びモータ１８２に供給される直流電圧の電圧値を、常に一定にすることができるという効果を奏する。
【００７８】
この実施の形態における照明器具１００は、直流直流変換回路１５３〜１５５が、スイッチング素子とインダクタ素子とコンデンサ素子とを直列に接続した直列回路を有し、入力した直流電圧を上記直列回路に印加し、入力した制御信号により上記スイッチング素子を制御し、上記コンデンサ素子の両端電圧を出力することを特徴とする。
【００７９】
この実施の形態における照明器具１００によれば、スイッチング素子を制御する制御信号のデューティ比を変化させることにより、入力した直流電圧と出力する直流電圧との間の電圧比を、容易に変化させることができるという効果を奏する。
【００８０】
この実施の形態における照明器具１００は、制御回路１５１が、交流直流変換回路１５２が出力した直流電圧を入力し、入力した直流電圧の電圧値を判断し、上記電圧値に比例するデューティ比を有する制御信号を出力することを特徴とする。
【００８１】
この実施の形態における照明器具１００によれば、照明器具１００が入力する交流電圧の実効電圧値にかかわらず、第一の発光ダイオード１２１及び第二の発光ダイオード１３１及びモータ１８２に供給される直流電圧の電圧値は一定であるという効果を奏する。
【００８２】
この実施の形態における照明器具１００は、制御回路１５１が、交流直流変換回路１５２が出力した直流電圧を降圧して、上記直流電圧の電圧値に比例する電圧値を有する直流電圧を出力する降圧回路と、上記降圧回路が出力した直流電圧を入力し、入力した電圧の電圧値を判断し、判断した電圧値に比例するデューティ比を有する制御信号を出力するマイクロコンピュータを備えることを特徴とする。
【００８３】
この実施の形態における照明器具１００によれば、交流直流変換回路１５２が出力した直流電圧の電圧値に比例する電圧値を有する直流電圧をマイクロコンピュータが入力し、入力した直流電圧の電圧値に比例するデューティ比を有する制御信号を出力するので、照明器具１００が入力する交流電圧の実効電圧値にかかわらず、第一の発光ダイオード１２１及び第二の発光ダイオード１３１及びモータ１８２に供給される直流電圧の電圧値は一定であるという効果を奏する。
【００８４】
実施の形態４．
実施の形態４について、図１２〜図１６を用いて説明する。
図１２は、この実施の形態における照明器具１００の外観を示す図である。
図１２（ａ）は正面図、図１２（ｂ）は底面図である。
【００８５】
この実施の形態の照明器具１００は、実施の形態３で説明した照明器具１００と比較して、人感センサ１９１及び照度センサ１９２（及びそれをカバーする透光性カバー１６１）を有している点が、外観において異なる。
それ以外の点は、実施の形態３で説明した照明器具１００と同様なので、ここでは説明を省略する。
【００８６】
化粧カバー１６０は、底面の四隅それぞれに透光性カバー１６１を有する。そのうち、化粧カバー１６０の中心に対して点対称な位置にある２つの透光性カバー１６１の内部には、第一の光源１２０がある。また、他の１つの透光性カバー１６１の内部には、人感センサ１９１があり、残る１つの透光性カバー１６１の内部には、照度センサ１９２がある。
【００８７】
図１３は、この実施の形態における照明器具１００の回路構成を示す構成図である。
この実施の形態における照明器具１００は、実施の形態３で説明した照明器具１００と比較して、タイマ１５６、人感センサ１９１、照度センサ１９２を有する点が、回路構成において異なる。
それ以外の点は、実施の形態３で説明した照明器具１００と同様なので、ここでは説明を省略する。
【００８８】
人感センサ１９１は、照明器具１００が設置された場所（例えば、部屋のなか）に、人が存在するか否かを検出し、人の存在非存在を示す検出信号を出力する。
検出信号は、例えば、人が存在する場合に高電位、人が存在しない場合に低電位となり、その電位の高低によって人の存在非存在を示す。あるいは、人が存在しない場合に一定の電位、人が存在する場合に変動する電位となり、その電位の変化によって人の存在非存在を示すものであってもよい。
人感センサ１９１は、例えば、焦電素子、赤外線センサなどを用いて構成する。
人感センサ１９１が出力した検出信号は、制御回路１５１に入力される。
【００８９】
照度センサ１９２は、照明器具１００が設置された場所（例えば、部屋のなか）の明るさを検出し、検出した明るさを示す照度信号を出力する。
照度信号は、例えば、部屋のなかの明るさに比例して電位が高くなり、その電位によって部屋のなかの明るさを示す。
照度センサ１９２は、例えば、フォトダイオード、フォトトランジスタなどにより構成する。
照度センサ１９２が出力した照度信号は、制御回路１５１に入力される。
【００９０】
タイマ１５６は、計測開始時刻からの経過時間を計測し、計測した経過時間を示す経過時間信号を出力する。
経過時間信号は、例えば、８ビットあるいは１６ビットの２進数（電位の高低により「１」と「０」を示す）によって数値を示すパラレル信号あるいはシリアル信号である。
タイマ１５６は、例えば、制御回路１５１を構成するマイクロコンピュータのクロック信号（例えば、４ＭＨｚ）を入力し、入力したクロック信号を分周して、分周した信号（例えば、１Ｈｚ）を出力する分周回路と、分周回路が出力した信号を入力し、記憶した経過時間をカウントアップして、記憶した経過時間を出力するカウンタ回路とにより構成する。
タイマ１５６は、タイマ制御信号を入力する。入力したタイマ制御信号は、例えば、カウンタ回路のリセット端子に入力され、カウンタ回路が記憶した経過時間をリセットする。これにより、タイマ制御信号を入力した時刻を計測開始時刻として、計測開始時刻からの経過時間を計測する。
なお、分周回路は、マイクロコンピュータのクロック信号ではなく、例えば、交流電源（例えば、５０Ｈｚまたは６０Ｈｚ）から入力した交流電圧から生成した信号（例えば、ゼロクロス信号）を入力することとしてもよい。
タイマ１５６が入力するタイマ制御信号は、制御回路１５１が出力する。また、タイマ１５６が出力した経過時間信号は、制御回路１５１に入力される。
【００９１】
次に、照明器具１００の動作について説明する。
図１４及び図１５及び図１６は、この実施の形態における制御装置１５０による照明制御処理の流れを示すフローチャート図である。
照明制御処理は、制御装置１５０が、第一の光源１２０及び第二の光源１３０及びファン１８１の動作を制御する処理である。
なお、制御装置１５０の制御回路１５１は、マイクロコンピュータを用いて構成するものとし、ここで説明する処理は、ＲＯＭなどの記憶装置が記憶したプログラムをマイクロコンピュータが実行することにより実現する。
しかし、これらの処理のすべてあるいは一部を、論理回路などのデジタル回路やアナログ回路が実行してもよい。例えば、第一光源制御信号など制御回路１５１が直流直流変換回路１５３〜１５５に対して出力する制御信号は、あるデューティ比を有する矩形波であるが、マイクロコンピュータからこれらの制御信号を直接出力し、制御信号が高電位である期間及び低電位である期間を、マイクロコンピュータが管理することとしてもよい。あるいは、マイクロコンピュータから制御信号のデューティ比を示す信号を出力し、その信号を入力した論理回路が、その信号により示されたデューティ比を有する制御信号を出力する構成としてもよい。
【００９２】
Ｓ５０１において、制御回路１５１は、人感センサ１９１が出力した検出信号を入力する。
Ｓ５０２において、制御回路１５１は、Ｓ５０１で入力した検出信号に基づいて、部屋のなかに人が存在するか否かを判断する。
部屋のなかに人が存在すると判断した場合には、Ｓ５０３へ進む。
部屋のなかに人が存在しないと判断した場合には、Ｓ５０１に戻る。
【００９３】
Ｓ５０３において、制御回路１５１は、モータ制御信号の出力を開始する。直流直流変換回路１５５は、制御回路１５１が出力したモータ制御信号を入力し、モータ１８２に対する電力供給を開始する。これにより、モータ１８２が駆動し、ファン１８１が回転する。
【００９４】
Ｓ５０４において、制御回路１５１は、照度センサ１９２が出力した照度信号を入力する。
Ｓ５０５において、制御回路１５１は、Ｓ５０４で入力した照度信号に基づいて、部屋のなかの明るさが所定の明るさより暗いか否かを判断する。例えば、照度信号の電位と所定の電位とを比較して、照度信号の電位のほうが低い場合に、部屋のなかが暗いと判断する。
部屋のなかが暗いと判断した場合には、Ｓ５１１へ進む。
部屋のなかが明るいと判断した場合には、Ｓ５４１へ進む。
【００９５】
Ｓ５１１において、制御回路１５１は、第一光源制御信号の出力を開始する。直流直流変換回路１５３は、制御回路１５１が出力した第一光源制御信号を入力し、第一の発光ダイオード１２１（第一の光源１２０）に対する電力供給を開始する。これにより、第一の発光ダイオード１２１が点灯する。
Ｓ５１２において、制御回路１５１は、第二光源制御信号の出力を開始する。直流直流変換回路１５４は、制御回路１５１が出力した第二光源制御信号を入力し、第二の発光ダイオード１３１（第二の光源１３０）に対する電力供給を開始する。これにより、第二の発光ダイオード１３１が点灯する。
【００９６】
なお、部屋のなかの明るさにしたがって、第一の発光ダイオード１２１あるいは第二の発光ダイオード１３１のいずれか一方のみを点灯することとしてもよい。あるいは、２つの第一の発光ダイオード１２１及び４つの第二の発光ダイオード１３１のうち、一部のみを点灯することとしてもよい。
【００９７】
Ｓ５２１において、制御回路１５１は、人感センサ１９１が出力した検出信号を入力する。
Ｓ５２２において、制御回路１５１は、Ｓ５２１で入力した検出信号に基づいて、部屋のなかに人が存在するか否かを判断する。
部屋のなかに人が存在すると判断した場合には、Ｓ５２１に戻る。
部屋のなかに人が存在しないと判断した場合には、Ｓ５２３へ進む。
【００９８】
Ｓ５２３において、制御回路１５１は、タイマ制御信号を出力する。タイマ１５６は、制御回路１５１が出力したタイマ制御信号を入力し、経過時間をリセットする。タイマ１５６は、この時点を計測開始時刻として、計測開始時刻からの経過時間を計測する。
【００９９】
Ｓ５２４において、制御回路１５１は、人感センサ１９１が出力した検出信号を入力する。
Ｓ５２５において、制御回路１５１は、Ｓ５２４で入力した検出信号に基づいて、部屋のなかに人が存在するか否かを判断する。
部屋のなかに人が存在すると判断した場合には、Ｓ５２１に戻る。
部屋のなかに人が存在しないと判断した場合には、Ｓ５２６へ進む。
【０１００】
Ｓ５２６において、制御回路１５１は、タイマ１５６が出力した経過時間信号を入力する。
Ｓ５２７において、制御回路１５１は、Ｓ５２６で入力した経過時間信号に基づいて、計測開始時刻（Ｓ５２３）から５分経過したか否かを判断する。
計測開始時刻から５分経過したと判断した場合には、Ｓ５３１へ進む。
計測開始時刻から５分経過していないと判断した場合には、Ｓ５２４に戻る。
【０１０１】
Ｓ５３１において、制御回路１５１は、第一光源制御信号の出力を停止する。直流直流変換回路１５３は、第一の発光ダイオード１２１（第一の光源１２０）に対する電力の供給を停止する。これにより、第一の発光ダイオード１２１が消灯する。
Ｓ５３２において、制御回路１５１は、第二光源制御信号の出力を停止する。直流直流変換回路１５４は、第二の発光ダイオード１３１（第二の光源１３０）に対する電力の供給を停止する。これにより、第二の発光ダイオード１３１が消灯する。
その後、Ｓ５４２へ進む。
【０１０２】
Ｓ５４１において、制御回路１５１は、タイマ制御信号を出力する。タイマ１５６は、制御回路１５１が出力したタイマ制御信号を入力し、経過時間をリセットする。タイマ１５６は、この時点を計測開始時刻として、計測開始時刻からの経過時間を計測する。
【０１０３】
Ｓ５４２において、制御回路１５１は、人感センサ１９１が出力した検出信号を入力する。
Ｓ５４３において、制御回路１５１は、Ｓ５４２で入力した検出信号に基づいて、部屋のなかに人が存在するか否かを判断する。
部屋のなかに人が存在すると判断した場合には、Ｓ５０４に戻る。
部屋のなかに人が存在しないと判断した場合には、Ｓ５４４へ進む。
【０１０４】
Ｓ５４４において、制御回路１５１は、タイマ１５６が出力した経過時間信号を入力する。
Ｓ５４５において、制御回路１５１は、Ｓ５４４で入力した経過時間信号に基づいて、計測開始時刻（Ｓ５２３またはＳ５４１）から１０分経過したか否かを判断する。
計測開始時刻から１０分経過したと判断した場合には、Ｓ５４６へ進む。
計測開始時刻から１０分経過していないと判断した場合には、Ｓ５４２に戻る。
【０１０５】
Ｓ５４６において、制御回路１５１は、モータ制御信号の出力を停止する。直流直流変換回路１５５は、モータ１８２に対する電力の供給を停止する。これにより、モータ１８２が停止し、ファン１８１が停止する。
その後、Ｓ５０１に戻る。
【０１０６】
これにより、照明器具１００は、部屋のなかに人を検出した場合に、ファン１８１を回転して換気を行う。更に、部屋のなかが暗い場合には、第一の光源１２０及び第二の光源１３０の少なくともいずれかを点灯する。
その後、部屋のなかに人を検出しなくなった場合、５分経過するのを待ち、その間、部屋のなかに人を検出しなかった場合には、第一の光源１２０及び第二の光源１３０の少なくともいずれかを消灯する。更に、５分（合計１０分）経過するのを待ち、その間、部屋のなかに人を検出しなかった場合には、ファン１８１の回転も停止する。
【０１０７】
部屋のなかに人を検出しなくなった場合に、第一の光源１２０及び第二の光源１３０をすぐに消灯しないのは、部屋のなかに人がいるにもかかわらず、人感センサ１９１が人の存在を検出しない場合に、第一の光源１２０及び第二の光源１３０が消灯してしまうのを防ぐためである。例えば、部屋のなかの人が動かない場合や、人感センサ１９１の検出範囲外にいる場合などに、検出もれとなる可能性がある。５分待っても、人を検出しない場合には、検出もれの可能性はほとんどないので、第一の光源１２０及び第二の光源１３０を消灯してよい。
【０１０８】
また、ファン１８１を停止するまで更に５分待つのは、部屋のなかににおいが篭るのを防ぐため（換気扇機能）と、第一の発光ダイオード１２１及び第二の発光ダイオード１３１を十分に冷ますため（放熱機能）という２つの目的がある。
なお、「５分」「１０分」は一例であり、他の経過時間を待つこととしてもよい。
【０１０９】
また、照度センサ１９２を設けず、人感センサ１９１が人の存在を検出した場合に、第一の光源１２０及び第二の光源１３０の少なくともいずれかを点灯することとしてもよい。
【０１１０】
この実施の形態における照明器具１００は、部屋のなかの人の存在を検出し、人の存在非存在を示す検出信号を出力する人感センサ１９１と、検出信号を入力し、入力した検出信号が人の存在を示す場合に、第一の光源１２０及び第二の光源１３０の少なくともいずれかに対して電力を供給する制御装置１５０とを有することを特徴とする。
【０１１１】
この実施の形態における照明器具１００によれば、人感センサ１９１が部屋のなかの人の存在を検出して、自動的に第一の光源１２０及び第二の光源１３０の少なくともいずれかを点灯するので、照明器具１００の電源スイッチを操作する必要がなく、暗い部屋のなかで電源スイッチを探す必要もないという効果を奏する。
【０１１２】
この実施の形態における照明器具１００は、制御装置１５０が、入力した検出信号が人の非存在を示す場合に、所定の時間（５分）が経過するまで待ち、所定の時間の間に、入力した検出信号が人の存在を示さない場合に、第一の光源１２０及び第二の光源１３０の少なくともいずれかに対する電力の供給を停止することを特徴とする。
【０１１３】
この実施の形態における照明器具１００によれば、人感センサ１９１が部屋のなかに人がいないことを検出して、自動的に第一の光源１２０及び第二の光源１３０の少なくともいずれかを消灯するので、照明器具１００の電源スイッチを操作する必要がなく、スイッチの切り忘れによる電力の浪費を防ぐことができるという効果を奏する。
【０１１４】
この実施の形態における照明器具１００によれば、人感センサ１９１が部屋のなかに人がいないことを検出してから所定の時間が経過するのを待ってから、第一の光源１２０及び第二の光源１３０の少なくともいずれかを消灯するので、検出もれにより誤って消灯してしまうことがないという効果を奏する。
【０１１５】
この実施の形態における照明器具１００は、更に、部屋のなかの明るさを検出し、部屋のなかの明るさを示す照度信号を出力する照度センサ１９２を有し、制御装置１５０が、検出信号と照度信号とを入力し、入力した検出信号が人の存在を示す場合に、入力した照度信号によって示される部屋のなかの明るさが所定の明るさより暗いか否かを判断し、部屋のなかの明るさが所定の明るさより暗いと判断した場合に、第一の光源１２０及び第二の光源１３０の少なくともいずれかに対して電力を供給することを特徴とする。
【０１１６】
この実施の形態における照明器具１００によれば、部屋のなかに人が存在し、かつ、部屋のなかが暗い場合に、自動的に第一の光源１２０及び第二の光源１３０の少なくともいずれかを点灯するので、例えば外光が差し込む室内において、外が明るい昼間は、第一の光源１２０及び第二の光源１３０を点灯せず、無駄な電力消費を抑えることができるという効果を奏する。
【０１１７】
この実施の形態における照明器具１００は、制御装置１５０が、第一の光源１２０及び第二の光源１３０を消灯してから所定の時間が経過するまで待ち、モータ１８２（送風部１８０）に対する電力の供給を停止することを特徴とする。
【０１１８】
この実施の形態における照明器具１００によれば、第一の光源１２０及び第二の光源１３０が消灯してから所定の時間の間は、モータ１８２に接続されたファン１８１が回転を続けるので、第一の発光ダイオード１２１及び第二の発光ダイオード１３１を十分に放熱させることができ、第一の発光ダイオード１２１及び第二の発光ダイオード１３１の発熱による温度上昇を抑えることができるという効果を奏する。
【図面の簡単な説明】
【０１１９】
【図１】実施の形態１における照明器具１００の外観を示す斜視図。
【図２】実施の形態１における照明器具１００の使用状況を示す斜視図。
【図３】実施の形態１における照明器具１００の使用状況を示す斜視図。
【図４】実施の形態１における照明器具１００の使用状況を示す斜視図。
【図５】実施の形態２における照明器具１００の外観を示す斜視図。
【図６】実施の形態２における照明器具１００の使用状況を示す斜視図。
【図７】実施の形態２における照明器具１００の使用状況を示す斜視図。
【図８】実施の形態３における照明器具１００の外観を示す図。
【図９】実施の形態３における照明器具１００の内部構造を示す図。
【図１０】実施の形態３における照明器具１００の内部構造を示す図。
【図１１】実施の形態３における照明器具１００の回路構成を示す構成図。
【図１２】実施の形態４における照明器具１００の外観を示す図。
【図１３】実施の形態４における照明器具１００の回路構成を示す構成図。
【図１４】実施の形態４における制御装置１５０による照明制御処理の流れを示すフローチャート図（その１）。
【図１５】実施の形態４における制御装置１５０による照明制御処理の流れを示すフローチャート図（その２）。
【図１６】実施の形態４における制御装置１５０による照明制御処理の流れを示すフローチャート図（その３）。
【符号の説明】
【０１２０】
１００  照明器具、１１０  本体、１１１  ケージング、１１２  排気口、１２０  第一の光源、１２１  第一の発光ダイオード、１２２，１３２，１４２  反射板、１２３，１３３  取付け基板、１３０  第二の光源、１３１  第二の発光ダイオード、１４０  第三の光源、１４１  第三の発光ダイオード、１５０  制御装置、１５１  制御回路、１５２  交流直流変換回路、１５３〜１５５  直流直流変換回路、１５６  タイマ、１６０  化粧カバー、１６１，１６２  透光性カバー、１６３  吸気口、１７０  放熱板、１７１  放熱部、１７２  放熱口、１７３  第一基板取付部、１７４  第二基板取付部、１８０  送風部、１８１  ファン、１８２  モータ、１９１  人感センサ、１９２  照度センサ、２００  交流電源、８００  部屋、８１０  天井、８２０  床面、８３０  壁面。
【図１】
0004827575.tif 000002
【図２】
0004827575.tif 000003
【図３】
0004827575.tif 000004
【図４】
0004827575.tif 000005
【図５】
0004827575.tif 000006
【図６】
0004827575.tif 000007
【図７】
0004827575.tif 000008
【図８】
0004827575.tif 000009
【図９】
0004827575.tif 000010
【図１０】
0004827575.tif 000011
【図１１】
0004827575.tif 000012
【図１２】
0004827575.tif 000013
【図１３】
0004827575.tif 000014
【図１４】
0004827575.tif 000015
【図１５】
0004827575.tif 000016
【図１６】
0004827575.tif 000017